(57)【要約】【課題】  透過型のカラー液晶表示パネルを背面側から照明して広範囲な色を表示する。【解決手段】  少なくとも１つの原色フィルタの透過波長帯域をシフトさせた３原色フィルタ、又は、３原色フィルタと補色フィルタからなるカラーフィルタ１９を備えた透過型のカラー液晶表示パネル１０をバックライト光源装置２０により背面側から照明する。【選択図】        図１
2005234133.tif 000002
【特許請求の範囲】
【請求項１】
透過型のカラー液晶表示パネルのカラーフィルタであって、
３原色フィルタからなり、少なくとも１つの原色フィルタの透過波長帯域をシフトさせたことを特徴とするカラー液晶表示用カラーフィルタ。
【請求項２】
上記透過波長帯域をシフトさせたことにより広がった低透過波長帯域内の光を透過する補色フィルタを設けたことを請求項１記載のカラー液晶表示用カラーフィルタ。
【請求項３】
上記補色フィルタ及び／又は緑色フィルタの半値幅を狭めたことを特徴とする請求項２記載のカラー液晶表示用カラーフィルタ。
【請求項４】
上記補色フィルタ及び／又は緑色フィルタの半値幅を０．３〜０．７の割合で狭めたことを特徴とする請求項３記載のカラー液晶表示用カラーフィルタ。
【請求項５】
青色フィルタの透過波長帯域を短波長側にシフトさせたことを特徴とする請求項１記載のカラー液晶表示用カラーフィルタ。
【請求項６】
青色フィルタの透過波長帯域を短波長側に１０ｎｍから５０ｎｍの範囲でシフトさせたことを特徴とする請求項５記載のカラー液晶表示用カラーフィルタ。
【請求項７】
シアン色フィルタを設けたことを請求項６記載のカラー液晶表示用カラーフィルタ。
【請求項８】
透過型のカラー液晶表示パネルのカラーフィルタであって、
３原色フィルタと補色フィルタからなることを特徴とするカラー液晶表示用カラーフィルタ。
【請求項９】
上記補色フィルタ及び／又は緑色フィルタの半値幅を狭めたことを特徴とする請求項８記載のカラー液晶表示用カラーフィルタ。
【請求項１０】
上記補色フィルタ及び／又は緑色フィルタの半値幅を０．３〜０．７の割合で狭めたことを特徴とする請求項９記載のカラー液晶表示用カラーフィルタ。
【請求項１１】
３原色フィルタとシアン色フィルタからなることを特徴とする請求項８記載のカラー液晶表示用カラーフィルタ。
【請求項１２】
３原色フィルタとイエロー色フィルタからなることを特徴とする請求項８記載のカラー液晶表示用カラーフィルタ。
【請求項１３】
カラーフィルタを備えた透過型のカラー液晶表示パネルと、このカラー液晶表示パネルを背面側から照明する液晶表示用バックライト光源装置とからなるカラー液晶表示装置であって、
上記カラーフィルタは、少なくとも１つの原色フィルタの透過波長帯域をシフトさせた３原色フィルタからなることを特徴とするカラー液晶表示装置。
【請求項１４】
上記カラーフィルタには、上記透過波長帯域をシフトさせたことにより広がった低透過波長帯域内の光を透過する補色フィルタを設けたことを請求項１３記載のカラー液晶表示装置。
【請求項１５】
上記カラーフィルタの補色フィルタ及び／又は緑色フィルタの半値幅を狭めたことを特徴とする請求項１４記載のカラー液晶表示表示装置。
【請求項１６】
カラーフィルタを備えた透過型のカラー液晶表示パネルと、このカラー液晶表示パネルを背面側から照明する液晶表示用バックライト光源装置とからなるカラー液晶表示装置であって、
上記カラーフィルタは、３原色フィルタと補色フィルタからなることを特徴とするカラー液晶表示装置。
【請求項１７】
上記カラーフィルタの補色フィルタ及び／又は緑色フィルタの半値幅を狭めたことを特徴とする請求項１６記載のカラー液晶表示装置。
【発明の詳細な説明】
【技術分野】
【０００１】
本発明は、カラー液晶表示用カラーフィルタ及びカラー液晶表示装置に関し、特に、より忠実な色再現性を確保するようにしたカラー液晶表示用カラーフィルタ及びカラー液晶表示装置に関する。
【背景技術】
【０００２】
コンピュータディスプレイ用の標準色空間としてＩＥＣ（International Electro−technical Commission）が規定したｓＲＧＢ規格は、ＲＧＢの３つの原色の色度点をＩＴＵ−Ｒ（International Telecommunication Union Radio communication）が推奨するＲｅｃ．７０９の測色パラメータに一致させることによって、ビデオ信号ＲＧＢと測色値の関係を明確に定義したものであって、このｓＲＧＢ規格に準拠したモニター装置では、同じビデオ信号ＲＧＢを与えれば、測色的に同じ色を表示できる。
【０００３】
ところで、カメラやスキャナにより取り込んだ色情報を受信し表示する映像機器すなわちディスプレイやプリンタは、受け取った色情報を正確に表示する必要がある。たとえばカメラが正確に色情報を取得したとしても、ディスプレイが不適切な色情報を表示することにより、システム全体の色再現性は劣化する。
【０００４】
現在の標準モニターでの表示は上記ｓＲＧＢ規格の色域で規定されているが、世の中にはｓＲＧＢの色域を超えた色が多々あり、ｓＲＧＢ規格の標準モニターでは表示できない物体色がでてきている。例えばフィルムやデジタルカメラやプリンタなどは既にｓＲＧＢの範囲を超えている。本件出願人は、４色カラーフィルタを設けたデジタルカメラを用いることにより、色の再現性及びノイズの低減性を向上させることのできるようにした画像処理装置を提案している（例えば、特許文献１参照）。
【０００５】
しかし、広いダイナミックレンジを確保して正確に撮影を行ったとしても、ｓＲＧＢ規格の標準モニターでは表示できない物体色が生じることになる。
【０００６】
そこで、広色域化に対応するためにｓＲＧＢよりも広い色空間を持ったｓＹＣＣが業界標準化された。ｓＹＣＣは、ｓＲＧＢからＩＴＵ−Ｒ  ＢＴ．６０１（ハイビジョン用に定義されたＲＧＢからＹＣＣへの変換マトリックスの国際規格）を使って輝度色差分離空間を導いたもので、色空間としてはｓＹＣＣのほうが色域が広く、ｓＲＧＢの外側の色も表現することができる。
【０００７】
一方、カラーテレビジョンの放送方式として採用されているＮＴＳＣ方式はｓＲＧＢに比べて帯域幅が広い。ｓＹＣＣを実現するにはディスプレイ上でＮＴＳＣ方式での色域と同等あるいはこれを超える必要がある。
【０００８】
【特許文献１】特開２００３−２８４０８４号公報
【発明の開示】
【発明が解決しようとする課題】
【０００９】
ところで、近年、液晶ＴＶやプラズマディスプレイ(PDP:Plasma Display Panel)に代表されるようにディスプレイの薄型化が流れとしてあり、中でもモバイル用ディスプレイの多くは液晶系であり、忠実な色の再現性が望まれている。また、液晶パネルのバックライトは蛍光管を使ったＣＣＦＬ（Cold Cathode Fluorescent Lamp）タイプが主流であるが、環境的に水銀レスが要求されてきており、ＣＣＦＬに変わる光源としてＬＥＤ（light emitting diode）等が有望視されている。
【００１０】
従来、透過型のカラー液晶表示装置では、例えば図１５に示すような分光特性の青色フィルタＣＦＢ（４５０ｎｍ）、緑色フィルタＣＦＧ（５２５ｎｍ）、赤色フィルタＣＦＲ（６１５ｎｍ）からなる３原色フィルタを用いたカラーフィルタがカラー液晶パネルに備えられていた。
【００１１】
これに対し、液晶パネルのバックライト光源として用いられている３波長域発光型のＣＣＦＬ光源は、図１６に示すようにいろいろな波長のスペクトルが発光している。３波長域発光型のＣＣＦＬをバックライト光源として用いた従来のカラー液晶表示装置では、混色が起こり、色純度が悪いという問題があった。
【００１２】
また、３色（ＲＧＢ）ＬＥＤでは、図１７の（Ａ）に示すようなスペクトル（４５５ｎｍ，５３０ｎｍ，６４０ｎｍ）を発光し、その分光感度曲線は図１７の（Ｂ）に示すようになっている。この３色（Ｒ，Ｇ，Ｂ）ＬＥＤについて、図１８の（Ａ）に示すように実際ＲＧＢのカラーフィルタを用いた系でＮＴＳＣ比を測定したところ、図１８の（Ｂ）のＸＹＺ表色系色度図に示すように、６６．４％であった。なお、図１８の（Ｂ）のＸＹＺ表色系色度図には、カラーフィルタＣＦの色域、ｓＲＧＢ色空間の色域及びＮＴＳＣでの色域が示されている。
【００１３】
そこで、本発明の目的は、上述の如き従来の実情に鑑み、バックライト方式の液晶表示装置（LCD：liquid crystal display）の広色域化を可能にするカラー液晶表示用カラーフィルタ及びカラー液晶表示装置を提供することにある。
【００１４】
本発明の更に他の目的、本発明によって得られる具体的な利点は、以下に説明される実施の形態の説明から一層明らかにされる。
【課題を解決するための手段】
【００１５】
本発明は、透過型のカラー液晶表示パネルのカラーフィルタであって、３原色フィルタからなり、少なくとも１つの原色フィルタの透過波長帯域をシフトさせたことを特徴とする。
【００１６】
また、本発明は、透過型のカラー液晶表示パネルのカラーフィルタであって、３原色フィルタと補色フィルタからなることを特徴とする。
【００１７】
また、本発明は、カラーフィルタを備えた透過型のカラー液晶表示パネルと、このカラー液晶表示パネルを背面側から照明する液晶表示用バックライト光源装置とからなるカラー液晶表示装置であって、上記カラーフィルタは、少なくとも１つの原色フィルタの透過波長帯域をシフトさせた３原色フィルタからなることを特徴とする。
【００１８】
さらに、本発明は、カラーフィルタを備えた透過型のカラー液晶表示パネルと、このカラー液晶表示パネルを背面側から照明する液晶表示用バックライト光源装置とからなるカラー液晶表示装置であって、上記カラーフィルタは、３原色フィルタと補色フィルタからなることを特徴とする。
【発明の効果】
【００１９】
本発明では、３原色フィルタからなるカラー液晶表示用カラーフィルタにおける少なくとも１つの原色フィルタの透過波長帯域をシフトさせることにより、バックライト方式のカラー液晶表示装置を広色域化することができる。
【００２０】
また、本発明では、透過型のカラー液晶表示パネルのカラーフィルタを３原色フィルタと補色フィルタで構成することにより、バックライト方式のカラー液晶表示装置を広色域化することができる。
【００２１】
上記カラー液晶表示用カラーフィルタは、上記透過波長帯域をシフトさせたことにより広がった低透過波長帯域内の光を透過する補色フィルタを設けることができ、これにより、カラー液晶表示装置をさらに広色域化することができる。
【００２２】
さらに、上記カラー液晶表示用カラーフィルタは、上記補色フィルタ及び／又は緑色フィルタの半値幅を狭めることにより、カラー液晶表示装置をさらに広色域化することができる。
【発明を実施するための最良の形態】
【００２３】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２４】
本発明は、例えば図１に示すような構成のバックライト方式のカラー液晶表示装置１００に適用される。
【００２５】
このカラー液晶表示装置１００は、透過型のカラー液晶表示パネル１０と、このカラー液晶表示パネル１０の背面側に設けられたバックライト光源装置２０からなる。
【００２６】
透過型のカラー液晶表示パネル１０は、ガラス等の構成された２枚の透明な基板（ＴＦＴ基板１１、対向電極基板１２）を互いに対向配置させ、その間隙に例えばツイステッドネマチック（ＴＮ）液晶を封入した液晶層１３を設けた構成となっている。ＴＦＴ基板１１にはマトリクス状に配置された信号線１４と走査線１５及びこれらの交点に配置されたスイッチング素子としての薄膜トランジスタ１６と画素電極１７が形成されている。薄膜トランジスタ１６は走査線１５により順次選択されると共に、信号線１４から供給される映像信号を対応する画素電極１７に書き込む。一方、対向電極基板１２の内表面には対向電極１８及びカラーフィルタ１９が形成されている。
【００２７】
ここで、カラーフィルタ１９は各画素電極１７に対応した複数のセグメントに分割されている。例えば、図２の（Ａ）に示すように３原色である赤色フィルタＣＦＲ、青色フィルタＣＦＧ、青色フィルタＣＦＢの３つのセグメント、図２の（Ｂ）に示すように３原色（ＲＧＢ）にシアン（Ｃ）を加えた赤色フィルタＣＦＲ、シアン色フィルタＣＦＣ、緑色フィルタＣＦＧ、青色フィルタＣＦＢの４つのセグメント、あるいは、図２の（Ｃ）に示すように３原色（ＲＧＢ）にシアン（Ｃ）とイエロー（Ｙ）を加えた赤色フィルタＣＦＲ、シアン色フィルタＣＦＣ、青色フィルタＣＦＧ、イエロー色フィルタＣＦＹ、青色フィルタＣＦＢの５つのセグメントに分割されている。
【００２８】
このカラー液晶表示装置１００では、この様な構成の透過型のカラー液晶表示パネル１０を２枚の偏光板３１，３２で挟み、バックライト光源装置２０により背面側から白色光を照射した状態で、アクティブマトリクス方式で駆動することによって、所望のフルカラー映像表示が得られる。
【００２９】
バックライト光源装置２０は、上記カラー液晶表示パネル１０を背面側から照明する。上記バックライト光源装置２０には、透過型のカラー液晶表示パネル１０を背面に配設された複数の発光素子によりバックライトを照射するエリアライト方式、或いは、透過型のカラー液晶表示パネル１０を背面に導光板を配し、導光板の一側縁に配設された複数の発光素子により上記導光板を介してバックライトを照射するエッジライト方式のいずれの方式も採用することができる。
【００３０】
このカラー液晶表示装置１００は、例えば図３に電気的なブロック構成を示す駆動回路２００により駆動される。
【００３１】
この駆動回路２００は、カラー液晶表示パネル１０やバックライト光源装置２０の駆動電源を供給する電源部１１０、カラー液晶表示パネル１０を駆動するＸドライバ回路１２０及びＹドライバ回路１３０、外部から映像信号が入力端子１４０を介して供給されるＲＧＢプロセス処理部１５０、このＲＧＢプロセス処理部１５０に接続された映像メモリ１６０及び制御部１７０、バックライト光源装置２０の駆動制御するバックライト駆動制御部１８０等を備えてなる。
【００３２】
この駆動回路２００において、入力端子１４０を介して入力された映像信号は、ＲＧＢプロセス処理部１５０によりクロマ処理等の信号処理がなされ、さらに、コンポジット信号からカラー液晶表示パネル１０の駆動に適したＲＧＢセパレート信号に変換されて、制御部１７０に供給されるとともに、画像メモリ１６０を介してＸドライバ１２０に供給される。また、制御部１７０は、上記ＲＧＢセパレート信号に応じた所定のタイミングでＸドライバ回路１２０及びＹドライバ回路１３０を制御して、上記画像メモリ１６０を介してＸドライバ回路１２０に供給されるＲＧＢセパレート信号でカラー液晶表示パネル１０を駆動することにより、上記ＲＧＢセパレート信号に応じた映像を表示する。
【００３３】
このような構成のカラー液晶表示装置１００において、３原色フィルタからなるカラーフィルタ１９における少なくとも１つの原色フィルタの透過波長帯域をシフトさせることにより、広色域化することができる。
【００３４】
ここで、バックライト光源装置２０として３色ＬＥＤ（ＲＧＢ）を用いた場合、従来よりカラーフィルタとして用いられている赤色フィルタＣＦＲ（６１５ｎｍ）、緑色フィルタＣＦＧ（５２５ｎｍ）、青色フィルタＣＦＢ（４５０ｎｍ）の３つのセグメントに分割された３原色フィルタでは、青色フィルタＣＦＧの透過波長帯域が３色ＬＥＤ（ＲＧＢ）の発光する青色光及び緑色光のスペクトルの両方に重なっているために混色を生じ、特に青色の色域が狭くなってしまうが、青色フィルタＣＦＢの通過波長帯域を短波長側へシフトしたカラーフィルタ１９を用いることにより、色域を広げることができる。
【００３５】
このカラー液晶表示装置１００では、例えば、図４に示すように、３原色フィルタの青色フィルタＣＦＢの通過波長帯域を短波長側へシフトさせたカラーフィルタ１９が使用される。
【００３６】
図５の（Ａ）に示すように青色フィルタＣＦＢの通過波長帯域を短波長側へ３５ｎｍシフトさせた４１５ｎｍにピークを持つカラーフィルタ１９を用いることにより、図５の（Ｂ）のＸＹＺ表色系色度図に示すようにＮＴＳＣ比を６６．４％から８１．５％に改善することができた。ここで、図５の（Ｂ）のＸＹＺ表色系色度図には、カラーフィルタＣＦの色域、ｓＲＧＢ色空間の色域及びＮＴＳＣでの色域が示されている。
【００３７】
また、３波長域発光型のＣＣＦＬをバックライト光源装置２０として用いたカラー液晶表示装置１００では、図６の（Ａ）に示すように４１５ｎｍにピークを持つ青色フィルタＣＦＢを短波長側へ３５ｎｍシフトさせたカラーフィルタ１９を用いることにより、図６の（Ｂ）のＸＹＺ表色系色度図に示すようにＮＴＳＣ比が６１．５％となった。ここで、図６の（Ｂ）のＸＹＺ表色系色度図には、カラーフィルタＣＦの色域、ｓＲＧＢ色空間の色域及びＮＴＳＣでの色域が示されている。
【００３８】
ここでは、青色フィルタＣＦＢを短波長側へシフトしたカラーフィルタ１９を用いる場合について示したが、赤色フィルタＣＦＲを長波長側へシフトすれば、緑色光と青色光の混色を少なくすることが、色域を広げることができる。
【００３９】
このように３原色フィルタからなるカラーフィルタ１９における少なくとも１つの原色フィルタの透過波長帯域をシフトさせることにより、バックライト方式のカラー液晶表示装置１００を広色域化することができる。上記透過波長帯域のシフト量は、１０ｎｍから５０ｎｍの範囲とすることが好ましい。
【００４０】
また、上記カラー液晶表示装置１００において、カラー液晶表示パネル１０のカラーフィルタ１９を３原色フィルタと補色フィルタで構成することにより、広色域化することができる。
【００４１】
ここで、上述の如く少なくとも１つの原色フィルタの透過波長帯域をシフトさせてなる３原色フィルタからなるカラーフィルタ１９では、上記透過波長帯域をシフトさせたことにより広がった低透過波長帯域内の光を透過する補色フィルタを設けることができ、これにより、カラー液晶表示装置１００をさらに広色域化することができる。
【００４２】
例えば、３波長域発光型のＣＣＦＬ光源をバックライト光源装置２０とし、赤色フィルタＣＦＲ、緑色フィルタＣＦＧ及び青色フィルタＣＦＢにシアン系色フィルタＣＦＣを加えてなる４セグメントのカラーフィルタ１９を用いたカラー液晶表示装置１００では、図７の（Ａ）に示すように緑色フィルタＣＦＧと同じ半値幅で透過波長を４９０ｎｍとしたシアン系色フィルタＣＦＣとした場合、図７の（Ｂ）のＸＹＺ表色系色度図に示すように、３原色フィルタをカラーフィルタに用いた場合に６１．５％であったＮＴＳＣ比を７３．２％に改善することができた。ここで、図７の（Ｂ）のＸＹＺ表色系色度図には、カラーフィルタＣＦの色域、ｓＲＧＢ色空間の色域及びＮＴＳＣでの色域が示されている。
【００４３】
ここで、上記３波長域発光型のＣＣＦＬ光源をバックライト光源装置２０とし、赤色フィルタＣＦＲ、緑色フィルタＣＦＧ及び青色フィルタＣＦＢにシアン系色フィルタＣＦＣを加えてなる４セグメントのカラーフィルタ１９を用いたカラー液晶表示装置１００において、上記緑色フィルタＣＦＧと同じ半値幅のシアン系色フィルタＣＦＣの透過波長帯域を図８の（Ａ）に示すように短波長側へ１０ｎｍずつシフトさせたときの色域の変化を図８の（Ｂ）のＸＹＺ表色系色度図に示す。このように３原色フィルタにシアン系色フィルタＣＦＣを設けたカラーフィルタ１９を用いることにより、緑から青にかけて色域を広げることができる。ここで、図８の（Ｂ）のＸＹＺ表色系色度図には、カラーフィルタＣＦの色域、ｓＲＧＢ色空間の色域及びＮＴＳＣでの色域が示されている。
【００４４】
また、上記シアン系色フィルタＣＦＣに代えて上記緑色フィルタＣＦＧと同じ半値幅のイエロー系色フィルタＣＦＹを用い、図９の（Ａ）に示すように緑色フィルタＣＦＧと同じ半値幅で透過波長を５６０ｎｍとしたイエロー系色フィルタＣＦＹを設けたカラーフィルタ１９を備えるカラー液晶表示装置１００では、図９の（Ｂ）にＸＹＺ表色系色度図にカラーフィルタＣＦの色域、ｓＲＧＢ色空間の色域及びＮＴＳＣでの色域を示すように、ＮＴＳＣ比を改善することができる。
【００４５】
ここで、上記シアン系色フィルタＣＦＣに代えて上記緑色フィルタＣＦＧと同じ半値幅のイエロー系色フィルタＣＦＹを用い、その透過波長帯域を図１０の（Ａ）に示すように長波長側へ１０ｎｍずつシフトさせたときの色域の変化を図１０の（Ｂ）のＸＹＺ表色系色度図に示す。このように３原色フィルタにイエロー系色フィルタを設けたカラーフィルタ１９を用いることにより、緑から赤にかけて色域を広げることができる。ここで、図１０の（Ｂ）のＸＹＺ表色系色度図には、カラーフィルタＣＦの色域、ｓＲＧＢ色空間の色域及びＮＴＳＣでの色域が示されている。
【００４６】
さらに、３原色フィルタと補色フィルタで構成したカラーフィルタ１９を備えるカラー液晶表示パネル１０を用いたカラー液晶表示装置１００では、上記補色フィルタ及び／又は緑色フィルタの半値幅を狭めることにより、さらに広色域化することができる。
【００４７】
例えば、上記３波長域発光型のＣＣＦＬ光源をバックライト光源装置２０とし、赤色フィルタＣＦＲ、緑色フィルタＣＦＧ及び青色フィルタＣＦＢにシアン系色フィルタＣＦＣを加えてなる４セグメントのカラーフィルタ１９を用いたカラー液晶表示装置１００において、図１１の（Ａ）に示すように、上記カラーフィルタ１９のシアン系色フィルタＣＦＣの半値幅を緑色フィルタＣＦＧの半値幅を１／２に狭めることにより、半値幅を１／２に狭めない場合のＮＴＳＣ比が６１．５％であったの対し、図１１の（Ｂ）のＸＹＺ表色系色度図に示すようにＮＴＳＣ比が９０．２％に改善された。ここで、図１１の（Ｂ）のＸＹＺ表色系色度図には、カラーフィルタＣＦの色域、ｓＲＧＢ色空間の色域及びＮＴＳＣでの色域が示されている。
【００４８】
また、上記シアン系色フィルタＣＦＣに代えてイエロー系色フィルタＣＦＹを用い、図１２の（Ａ）に示すように緑色フィルタＣＦＧの１／２の半値幅で透過波長を５６０ｎｍとしたイエロー系色フィルタＣＦＹを設けたカラーフィルタ１９を備えるカラー液晶表示装置１００では、図１２の（Ｂ）にＸＹＺ表色系色度図にカラーフィルタＣＦの色域、ｓＲＧＢ色空間の色域及びＮＴＳＣでの色域を示すように、ＮＴＳＣ比を改善することができる。
【００４９】
また、４色ＬＥＤをバックライト光源装置２０とし、赤色フィルタＣＦＲ、緑色フィルタＣＦＧ及び青色フィルタＣＦＢにシアン系色フィルタＣＦＣを加えてなる４セグメントのカラーフィルタ１９を用いたカラー液晶表示装置１００において、図１３の（Ａ）に示すように、上記カラーフィルタ１９のシアン色フィルタＣＦＣの半値幅を緑色フィルタＣＦＧの半値幅を１／２に狭めた場合、図１３の（Ｂ）のＸＹＺ表色系色度図に示すようにＮＴＳＣ比が８３．０％となった。ここで、図１３の（Ｂ）のＸＹＺ表色系色度図には、カラーフィルタＣＦの色域、ｓＲＧＢ色空間の色域及びＮＴＳＣでの色域が示されている。
【００５０】
さらに、４色ＬＥＤをバックライト光源装置２０とし、赤色フィルタＣＦＲ、緑色フィルタＣＦＧ及び青色フィルタＣＦＢにシアン系色フィルタＣＦＣを加えてなる４セグメントのカラーフィルタ１９を用いたカラー液晶表示装置１００において、図１４の（Ａ）に示すように、上記カラーフィルタ１９のシアン色フィルタＣＦＣの半値幅と緑色フィルタＣＦＧの半値幅を１／２に狭めた場合、図１４の（Ｂ）のＸＹＺ表色系色度図に示すようにＮＴＳＣ比が１１２．５％となった。ここで、図１４の（Ｂ）のＸＹＺ表色系色度図には、カラーフィルタＣＦの色域、ｓＲＧＢ色空間の色域及びＮＴＳＣでの色域が示されている。
【００５１】
このように、透過型のカラー液晶表示パネル１０のカラーフィルタ１９の補色フィルタ及び／又は緑色フィルタの半値幅を狭めることにより、カラー液晶表示装置１００をさらに広色域化することができる。上記補色フィルタ及び／又は緑色フィルタの半値幅を０．３〜０．７の割合で狭めると良い。
【図面の簡単な説明】
【００５２】
【図１】本発明を適用したバックライト方式のカラー液晶表示装置の構成を示すブロック図である。
【図２】上記カラー液晶表示装置おけるカラー液晶パネルに設けられるカラーフィルタの構成を示す模式的な平面図である。
【図３】上記カラー液晶表示装置の駆動回路の構成を示すブロック図である。
【図４】３原色フィルタの青色フィルタの通過波長帯域を短波長側へシフトさせたカラーフィルタを用いたカラーフィルタの分光特性を示す特性図である。
【図５】上記青色フィルタの通過波長帯域を短波長側へシフトさせたカラーフィルタを用いたカラーフィルタを備えるカラー液晶パネルと３色ＬＥＤを用いたバックライト光源からなるカラー液晶表示装置の光学特性（Ａ）及び色域（Ｂ）を示す特性図である。
【図６】上記青色フィルタの通過波長帯域を短波長側へシフトさせたカラーフィルタを用いたカラーフィルタを備えるカラー液晶パネルと３波長域発光型のＣＣＦＬ光源を用いたバックライト光源からなるカラー液晶表示装置の光学特性（Ａ）及び色域（Ｂ）を示す特性図である。
【図７】３原色フィルタにシアン系色フィルタを加えたカラーフィルタを用いたカラーフィルタを備えるカラー液晶パネルと３波長域発光型のＣＣＦＬ光源を用いたバックライト光源からなるカラー液晶表示装置の光学特性（Ａ）及び色域（Ｂ）を示す特性図である。
【図８】３原色フィルタにシアン系色フィルタを加えたカラーフィルタを用いたカラーフィルタを備えるカラー液晶パネルと３波長域発光型のＣＣＦＬ光源を用いたバックライト光源からなるカラー液晶表示装置において、上記シアン系色フィルタの透過波長帯域を短波長側へ１０ｎｍずつシフトさせたときの、光学特性（Ａ）及び色域（Ｂ）を示す特性図である。
【図９】３原色フィルタにイエロー系色フィルタを加えたカラーフィルタを用いたカラーフィルタを備えるカラー液晶パネルと３波長域発光型のＣＣＦＬ光源を用いたバックライト光源からなるカラー液晶表示装置の光学特性（Ａ）及び色域（Ｂ）を示す特性図である。
【図１０】３原色フィルタにイエロー系色フィルタを加えたカラーフィルタを用いたカラーフィルタを備えるカラー液晶パネルと３波長域発光型のＣＣＦＬ光源を用いたバックライト光源からなるカラー液晶表示装置において、上記イエロー系色フィルタの透過波長帯域を短波長側へ１０ｎｍずつシフトさせたときの、光学特性（Ａ）及び色域（Ｂ）を示す特性図である。
【図１１】３原色フィルタにシアン系色フィルタを加えたカラーフィルタを用いたカラーフィルタを備えるカラー液晶パネルと３波長域発光型のＣＣＦＬ光源を用いたバックライト光源からなるカラー液晶表示装置において、上記シアン系色フィルタの半値幅を狭めたときの光学特性（Ａ）及び色域（Ｂ）を示す特性図である。
【図１２】３原色フィルタにイエロー系色フィルタを加えたカラーフィルタを用いたカラーフィルタを備えるカラー液晶パネルと３波長域発光型のＣＣＦＬ光源を用いたバックライト光源からなるカラー液晶表示装置において、上記イエロー系色フィルタの半値幅を狭めたときの光学特性（Ａ）及び色域（Ｂ）を示す特性図である。
【図１３】３原色フィルタにシアン系色フィルタを加えたカラーフィルタを用いたカラーフィルタを備えるカラー液晶パネルと４色ＬＥＤを用いたバックライト光源からなるカラー液晶表示装置において、上記シアン系色フィルタの半値幅を緑色フィルタＣＦＧの半値幅の１／２に狭めたときの光学特性（Ａ）及び色域（Ｂ）を示す特性図である。
【図１４】３原色フィルタにシアン系色フィルタを加えたカラーフィルタを用いたカラーフィルタを備えるカラー液晶パネルと４色ＬＥＤを用いたバックライト光源からなるカラー液晶表示装置において、上記シアン系色及びフィルタ緑色フィルタＣＦＧの半値幅を狭めたときの光学特性（Ａ）及び色域（Ｂ）を示す特性図である。
【図１５】従来の透過型のカラー液晶表示装置におけるカラー液晶パネルに備えられていた３原色フィルタを用いたカラーフィルタの分光特性を示す特性図である。
【図１６】液晶パネルのバックライト光源として用いられている３波長域発光型のＣＣＦＬ光源の発光スペクトルを示す特性図である。
【図１７】３色ＬＥＤの発光スペクトル（Ａ）とその分光感度曲線（Ｂ）を示す特性図である。
【図１８】従来の３原色フィルタを用いたカラーフィルタを備えるカラー液晶パネルと３色ＬＥＤからなるカラー液晶表示装置の光学特性（Ａ）及び色域（Ｂ）を示す特性図である。
【符号の説明】
【００５３】
１０  カラー液晶表示パネル、１１  ＴＦＴ基板、１２  対向電極基板、１３  液晶層、１４  信号線、１５  走査線、１６  薄膜トランジスタ、１７  画素電極、１８  対向電極、１９  カラーフィルタ、２０  バックライト光源装置、３１，３２  偏光板、１００  カラー液晶表示装置、２００  駆動回路、１１０  電源部、１２０  Ｘドライバ回路、１３０  Ｙドライバ回路、１４０  入力端子、１５０  ＲＧＢプロセス処理部、１６０  映像メモリ、１７０  制御部、１８０  バックライト駆動制御部、ＣＦＲ  赤色フィルタ、ＣＦＧ  緑色フィルタ、ＣＦＢ    青色フィルタ、ＣＦＣ  シアン色フィルタ、ＣＦＹ  イエロー色フィルタ
【図１】
2005234133.tif 000003
【図２】
2005234133.tif 000004
【図３】
2005234133.tif 000005
【図４】
2005234133.tif 000006
【図５】
2005234133.tif 000007
【図６】
2005234133.tif 000008
【図７】
2005234133.tif 000009
【図８】
2005234133.tif 000010
【図９】
2005234133.tif 000011
【図１０】
2005234133.tif 000012
【図１１】
2005234133.tif 000013
【図１２】
2005234133.tif 000014
【図１３】
2005234133.tif 000015
【図１４】
2005234133.tif 000016
【図１５】
2005234133.tif 000017
【図１６】
2005234133.tif 000018
【図１７】
2005234133.tif 000019
【図１８】
2005234133.tif 000020